Podtech/llm-jp-corpus-v4-ja_patent huggingface dataset:
(57)【特許請求の範囲】
【請求項１】
電気、電子回路を異方性導電膜を用いて接続するための熱圧着装置において、熱圧着装置の上部に必要な温度に加熱された上部ツ−ルを設置し、装置の下部に上部ツ−ルに対向して必要な温度に加熱された下部ツ−ルを配置し、この両ツ−ルの間の位置に異方導電膜を介して上下回路を仮付けされた回路基板を保持するステ−ジを設け、下部ツ−ルを固定し、上部ツ−ルとステ−ジが異る速度で下降して、回路基板の下面が下部ツ−ルの上面に接触するのとほぼ同時に上部ツ−ルの下面が回路基板の上面に接触することにより、回路基板の上下面から加熱加圧を行うようにしたことを特徴とする異方性導電膜接続用熱圧着装置。
【発明の詳細な説明】
【０００１】
【発明の属する技術分野】
本発明は異方性導電膜を用いた電気、電子回路の接続に関し、詳しくは、異方性導電膜を用いて接続するための異方性導電膜接続用熱圧着装置に関する。
【０００２】
【従来の技術】
導電粒子が分散された接着剤や導電粒子を含有しない接着剤を介して回路基板の配線部と半導体素子の電極や他の回路基板の電極部を相対向させて接続することが行われている。この接続に、従来は、図２に示すように、常温もしくは４０〜５０℃に加熱された受台９の上に回路基板（３、４、５）を載せ、上方より約２５０〜３５０℃に加熱したツ−ル２を下降させて加熱加圧を行っていた。
【０００３】
【発明が解決しようとする課題】
従来の方法では加熱は上側から行われるため、上側回路基板３→異方導電膜４（ＡＣＦ）→下側回路基板５→受台９の方向に熱が流れ必然的に上側回路基板３と下側回路基板５の温度に差が生じてしまい、回路基板の上面と下面で温度差が生ずることを避けられなかった。従って、上側回路基板と下側回路基板で熱膨張が異り、上側回路ピッチが下側回路ピッチより相対的に大きくなって、両者の回路の位置ずれが発生することは避けられなかった。この位置ずれの影響は回路が狭ピッチで接続する長さが長い場合には致命的となり、この対策のために上側回路と下側回路のピッチ寸法は熱膨張の差の分だけ異る寸法に設計しなければならなかった。
本発明はそのような手間を不要にし、狭ピッチ、接続長さが長い場合でも上下回路の位置ずれを生じさせない異方性導電膜接続用熱圧着装置を提供するものである。
【０００４】
【課題を解決するための手段】
本発明は、電気、電子回路を異方性導電膜を用いて接続するための熱圧着装置において、熱圧着装置の上部に必要な温度に加熱された上部ツ−ルを設置し、装置の下部に上部ツ−ルに対向して必要な温度に加熱された下部ツ−ルを配置し、この両ツ−ルの間の位置に異方導電膜を介して上下回路を仮付けされた回路基板を保持するステ−ジを設け、下部ツ−ルを固定し、上部ツ−ルとステ−ジが異る速度で下降して、回路基板の下面が下部ツ−ルの上面に接触するのとほぼ同時に上部ツ−ルの下面が回路基板の上面に接触することにより、回路基板の上下面から加熱加圧を行うようにしたことを特徴とする異方性導電膜接続用熱圧着装置である。
【０００５】
【発明の実施の形態】
本発明の異方性導電膜接続用熱圧着装置は、図１に示すように（１）加熱された上部ツ−ル２に対向して、下側に下部ツ−ル７を配置し上部ツ−ルとほぼ同じ温度に加熱しておく。この場合、温度計はそれぞれに個別に設けておくのが好ましい。
（２）上部ツール２、下部ツ−ル７の間に、回路基板（３、４、５）を載せて保持するためのステ−ジ６を設け、このステ−ジには下部ツ−ルが回路基板に直接接触するための開口穴を開けておく。
（３）下部ツ−ルは固定とし、上部ツ−ルとステ−ジは下降できるようにエアシリンダなどの上下動できる機能を有する部品で駆動する。
（４）上部ツ−ルとステ−ジの下降速度を調節し回路基板の下面が下部ツ−ルの上面に接触するのとほぼ同時に上部ツ−ルの下面が回路基板の上面に接触するようにするためそれぞれに絞り弁を設ける。
（５）上部ツ−ルとステ−ジの下降手段はパルスモ−タを用いてもよい。
上側回路基板３と下側回路基板５は異方性導電膜４（ＡＣＦ）を介して仮付けされており、これをステ−ジ６の上に載せて吸着などにより固定する。ステ−ジは回路基板の接続部に直接下部ツ−ルが接触するように開口穴を設けてある。装置のスタ−トボタンを押すと、上部ツ−ルとステ−ジは同時に下降し始め異る速度で下降しながら互に接近し、回路基板が下部ツ−ルに接触する位置でステ−ジは停止し、それと同時に上部ツ−ルが回路基板に接触するように上部ツ−ルとステ−ジの下降速度を調節しておく。接触後、所定の時間の加熱加圧が行われた後、上部ツ−ルが上昇し、続いてステ−ジも上昇し作業は終了する。
これにより回路基板は上下面から同時に同じ温度に加熱され、上側基板と下側基板の熱膨張は等しくなり、回路ピッチの熱膨張差によるずれを無くすことができる。熱膨張係数の異なる回路基板を上側回路基板と下側回路基板に用いる場合は、上部ツールと下部ツールの温度をそれぞれ設定し、調整することもできる。
【０００６】
【実施例】
上部ツール２を下降させる圧着用シリンダとして直径１００ｍｍ、ストロ−ク８６ｍｍ、ステ−ジ６を下降させるステージ用シリンダとして直径２０ｍｍ、ストロ−ク５０ｍｍを用い、下降速度は排気側絞り弁をそれぞれ調節し、回路基板５の下面が下部ツ−ル７の上面に接触するのとほぼ同時に上部ツ−ル２の下面が回路基板３の上面に接触するようにした。上部ツ−ルは、日立化成工業株式会社製圧着機ＡＣ−Ｓ３００の加熱ヘッドと同じものを用い、下部ツ−ルも全く同じものを逆向に設置して上部ツ−ルと対向させた。温度調節は上部ツール、下部ツール独立に行い、両者とも３００℃となるように加熱した。上部ツールと下部ツ−ル間の平行度の調整は従来と同様に下部ツ−ルに上部ツ−ルを合せる様、調整ボルトで調整した。
【０００７】
試作した回路基板はピッチが６５μｍで接続長さ２９０ｍｍのものを用いた。上、下の回路基板には、同じ厚さの０．１５ｍｍのガラス基材エポキシ樹脂積層基板を用いた。この基板を用いて試作したところ、接続後の基板両端の位置ずれは熱膨張差によるものは０で、圧着時の横ずれが５μｍ以下と良好な結果が得られた。
【０００８】
【発明の効果】
本発明の異方性導電膜接続用熱圧着装置を用いて接続することにより、上側回路基板と下側回路基板の熱膨張差による位置ずれや反りは無くなり、回路設計上、また接続作業上の位置ずれの余裕を大きくすることができる。
【図面の簡単な説明】
【図１】  本発明の一実施例を示す構造図である。
【図２】  従来技術の方法を示す構造図である。
【符号の説明】
１  上部ヒ−タ
２  上部ツ−ル
３  上側回路基板
４  異方性導電膜
５  下側回路基板
６  ステ−ジ
７  下部ツ−ル
８  下部ヒ−タ
９  受台
【図１】
0004234286.tif 000002
【図２】
0004234286.tif 000003
(57)【要約】      （修正有）【課題】歯茎を傷つけない様にマッサージできる歯茎マッサージブラシを提供する。【解決手段】全周に突起部２１を楕円形に配置した頭部２と、持ち手部３に円柱状の滑り止め部３１を備える。全周に突起部を配置する楕円形により口腔の奥まで届き、また持ち手部の滑り止め部は円柱形になっている為、安易に回転でき、歯茎と口腔内に刺激を与えられる。【選択図】図１
0003219859.tif 000002
【実用新案登録請求の範囲】
【請求項１】
全周に突起部を楕円形に配置した頭部と、持ち手部に円柱状の滑り止め部を備えた歯茎マッサージブラシ。
【請求項２】
持ち手部の中央部に円柱状の滑り止めを備えたことを特徴とする請求項１に記載の歯茎マッサージブラシ。
【請求項３】
突起部は中心が長く両サイドに向かって短くなる楕円形の形状であることを特徴とする請求項１又は請求項２に記載の歯茎マッサージブラシ。
【請求項４】
前記突起部の先端部は半球状になっていることを特徴とする請求項３に記載の歯茎マッサージブラシ。
【請求項５】
全てが一体成形のシリコンでできており、シリコンにチタンを混合しており、酸化チタンの光触媒抗菌効果を持っていることを特徴とする請求項１から４のいずれか１項に記載の歯茎マッサージブラシ。
【考案の詳細な説明】
【技術分野】
【０００１】本考案は、歯茎を傷つけない様にマッサージできる歯茎マッサージブラシに関する。
【背景技術】
【０００２】歯茎のマッサージすることにより、歯茎の血行促進と口腔内の刺激、唾液分泌の促進に有効である。【０００３】従来の歯茎マッサージブラシは片面のみの物が多く、歯ブラシの様にこするタイプであり力加減が難しいと思われ、歯茎を傷つける恐れがある。
【考案の概要】
【考案が解決しようとする課題】
【０００４】従来の歯茎マッサージブラシは片面のみの物が多く、こするタイプであり、摩擦で歯茎を傷つける恐れがある。
【課題を解決するための手段】
【０００５】本考案はこするタイプは力加減が分かりづらいので、シリコンの突起部を全周に配置し回転させる事により均一の力で突起部が歯茎に刺激を与える。【０００６】本考案は突起部の長さが一定ではなく長さによってパッティング効果の強さを変えることで様々な強さの振動を作る。
【考案の効果】
【０００７】全周に突起部を配置する楕円形により口腔の奥まで届き、また回転しやすくするために持ち手部も円柱形になっている為、安易に回転でき、歯茎と口腔内に刺激を与えられる。【０００８】シリコンの柔軟性が回転時にパッティング効果を出し細やかな振動が歯茎に適度なマッサージを与えられる。【０００９】全周に突起部があることで、頬の内側も同時に刺激を与える事によりマッサージができ、表情筋にも効果的なマッサージができる。
【図面の簡単な説明】
【００１０】
【図１】歯茎マッサージブラシ全体の構成
【考案を実施するための形態】
【００１１】図１は歯茎マッサージブラシ全体の構成を示す。
本考案の歯茎マッサージは、棒状の持ち手部と楕円形の頭部から成り立っており、持ち手部の滑り止め部を回転させ頭部の突起部を歯茎に接触させマッサージを行う。
【符号の説明】
【００１２】１  歯茎マッサージブラシ
２  頭部
２１  突起部
３  持ち手部
３１  滑り止め部
【図１】
0003219859.tif 000003
(57)【要約】      （修正有）【課題】和式トイレと同様に、太ももで下腹部を圧迫できるので、便意が中断することなく息むことができ、楽に排便することができる洋式トイレを提供する。【解決手段】腰を乗せて楽に使用出来る洋式トイレにおいて、速やかに排便姿勢を採れる様に便座とステップを一体化し、踵を引っ掛けて脚を踏ん張り、太ももで下腹部を圧迫できるようにする。【選択図】図１
0003219855.tif 000002
【実用新案登録請求の範囲】
【請求項１】
先ず、洋式トイレと同じ様に、楽に便座に腰を下ろすことが出来る。次に、洋式トイレ用ステップと同様に、膝を抱えて足を便座に乗せることが出来る。そうすると簡単に直腸と肛門が直線的になる。便座の縁に踵を掛け、腕と脚に力を入れて太ももで下腹部を圧迫し息むと、和式トイレと同じ様に楽に排便することが出来る。それを、便秘を改善する、楽式トイレ、とする。
【考案の詳細な説明】
【技術分野】
【０００１】
本考案は、使用すると排便を楽にして、便秘気味の人の便秘を予防し、便秘の人の便秘を改善する、トイレの形質に関するものである。腰を乗せて楽に使用出来る洋式トイレの便利さに、楽に排便が出来る和式トイレの長所を追加して、便秘を改善する、便座と便器である。
【背景技術】
【０００２】
和式トイレは、しゃがみ込むことで、直腸と肛門が直線的になって便が詰まりにくく、太ももで下腹部を圧迫するので、それほど息むことなく腹圧を上げることができ、便秘になりにくい形式だが、脚が疲れるなどの負担が大きいので、現在ではほとんど採用されなくなった。
【０００３】
洋式トイレは、腰を掛けて使用するので脚への負担がなく、現在のほとんどのトイレで採用されているが、直腸と肛門が直線的にならないので便が詰まりやすく、息み方を間違えると恥骨直腸筋と肛門括約筋が逆に収縮し、便の通りを妨げて便秘を助長する形式である。
【０００４】
便秘改善のため、洋式トイレに足を乗せるステップを併設する方式が考案されたが、直腸と肛門が直線的になって便が詰まりにくくはなるものの、その都度用意するのに手間が掛かったり、太ももで腹部を圧迫する効果が薄かったりと、便意の継続を中断する弱みがある。
【考案の概要】
【考案が解決しようとする課題】
【０００５】
昨今、睡眠時間の減少や、薬の副作用・ダイエットの普及・高齢者の増加等が原因で、便秘になる人が増えている。便秘は肉体的にも精神的にも害が大きいので、なるべく簡単に便秘を改善する方策が求められている。トイレの改良もその手段である。先ず、脚に負担が掛からないようにしなければいけない。次に、直腸と肛門が直線的になり、太ももで下腹部を圧迫出来る体勢を作る必要がある。更に、便意が有る内に短時間で着座し、排便行動を継続出来なければいけない。
【課題を解決するための手段】
【０００６】
基本的な形式は洋式トイレとする。洋式トイレに併設し足を乗せるステップを、便座と一体化し、楽な体勢で体育座り出来る様にするため、便座の長さを、一般的な洋式トイレの便座より１００ミリ程度長くする。和式トイレと同じ様に、太ももで下腹部を圧迫するため、踵を引っ掛けて脚を踏ん張れるように、便座の開口部の長さを、一般的な洋式トイレの便座より５０ミリ程度長くする。便座に合わせて、便器の長さも長くする。
【考案の効果】
【０００７】
先ず、洋式トイレと同じ様に、便座に腰を乗せるので脚に負担が掛かることはない。次に、洋式トイレ併設のステップが便座と一体化しているので、膝を抱えて座り、足を便座に乗せると直腸と肛門が直線的になり、更に、和式トイレと同様に、太ももで下腹部を圧迫できるので、便意が中断することなく息むことができ、楽に排便することができる。便座の開口部が長くなるので、介助をするのにも便利で、大人の男性が座って小便をし易くなるという効果もある。
【図面の簡単な説明】
【０００８】
【図１】便座に体育座りをしている楽式トイレを、側面から見た図である。
【図２】便座を、上から見た図である。
【図３】便座を、下から見た図である。
【符号の説明】
【０００９】
１  楽式便器
２  タンク
３  楽式便座
４  楽式便座蓋
【図１】
0003219855.tif 000003
【図２】
0003219855.tif 000004
【図３】
0003219855.tif 000005
【手続補正書】
【提出日】平成30年11月20日(2018.11.20)
【手続補正２】
【補正対象書類名】実用新案登録請求の範囲
【補正対象項目名】請求項１
【補正方法】変更
【補正の内容】
【請求項１】
腰を下ろすことが出来る便座と、便座と一体化され踵を引っ掛けて脚を踏ん張ることが出来るステップと、を備える洋式トイレ。
(57)【要約】      （修正有）【課題】テイッシュケースの置き場所を広範囲、効率的に確保できるテイッシュケースホルダーを提供する。【解決手段】テイッシュの取り出しを妨げない形状で孔を設けた平板１の、左右上下の適切な位置にフック２を作成する。該フック２にゴム紐を引っ掛けてテイッシュケースを介し支持体に抱き着く。【選択図】図１
0003219867.tif 000002
【実用新案登録請求の範囲】
【請求項１】
テイッシュの取り出しを妨げない形状で孔を設けた平板の、左右上下の適切な位置にフックを作成し、該フックにゴム紐を引っ掛けて使用をすることを特徴とするテイッシュケースホルダー。
【考案の詳細な説明】
【技術分野】
【０００１】主として自動車内のサンバイザー、ヘッドレストあるいは机の脚などの支持体に抱きつくことにより、狭い場所であってもテイッシュケースの置き場所を確保することを目的とした。
【背景技術】
【０００２】従来品に比べ簡単、安価、迅速に設置をすることができる。
【考案の概要】
【考案が解決しようとする課題】
【０００３】テイッシュケースの置き場所を広範囲、効率的に確保すること。
【課題を解決するための手段】
【０００４】テイッシュの取り出しを妨げない形状で孔を設けた平板の、左右上下の適切な位置にフックを作成し、該フックにゴム紐を引っ掛けることによりテイッシュケースを介して支持体に固定をする。
左右であるか上下であるかテイッシュケースの取り付けたい方向によってフックを任意に決定する。
輪ゴムを使用するならば容易に引っ掛けることができる。
平板の材料としては厚紙あるいは塩化ビニールなどが適切だろう。
【考案の効果】
【０００５】簡単に着脱が可能で支持体のあるところ設置も使用も便利である。
【図面の簡単な説明】
【図１】正面図
【符号の説明】  １  平板
２  フック
３  テイッシュケース
【図１】
0003219867.tif 000003
(57)【要約】      （修正有）【課題】調香材料や作成時間の無駄を削減し、色や形による視覚的な影響を抑制して、嗅覚の混乱を防止する調香用具を提供する。【解決手段】収納ケース１の内側に複数の区画４を設けて、芳香用液体を含侵させた芳香用個体２を密封容器３に封入した状態で、香りの種類毎に分類して収納できるよう構成した。芳香用個体２に識別用の着色や形状を施すことなく、芳香用個体２を組み合わせて調香できるうえ、一度調香した後に香りの種類や混合比を自由に変更できるので、調香材料や作成時間の無駄を削減できる。【選択図】図１
0003219868.tif 000002
【実用新案登録請求の範囲】
【請求項１】
収納ケースと、密封容器と、芳香用液体を含侵させた芳香用個体と、芳香容器を具備したことを特徴とする調香用具であって、収納ケースの内側に、複数の区画を設け、芳香用液体を含侵させた芳香用個体を封入した密封容器を、香りの種類毎に分類して収納できるように構成した調香用具。
【考案の詳細な説明】
【技術分野】
【０００１】  本考案は、芳香用液体（精油等）を含侵させた数種類の芳香用個体（木片等）を組み合わせて、調香するための用具に関するものである。
【背景技術】
【０００２】  数種類の芳香用液体（精油等）から、適宜選択して香りを組み合わせる調香方法において、芳香用液体（精油等）を調合するための用具として、芳香用混合液体を保管する容器（ガラスビン等）と、計量用器具（ピペット等）と、試香するための試験紙（ムエット等）を使用していた。
【先行技術文献】
【特許文献】
【０００３】
【特許文献１】実用新案登録第３１８６１７２号
【考案の概要】
【考案が解決しようとする課題】
【０００４】  従来の調香方法は、芳香用液体（精油等）を混合して、好みの香りを作る方法が一般的であり、「特許文献１」に開示された調香方法では、芳香用液体を混合して香りを作るため、一度混合した芳香用液体（精油等）の種類や混合比を変更したい場合は、もう一度最初から作り直す必要があり、材料や作成時間の無駄が発生する。【０００５】  類似の調香方法では、芳香用ペースト（化学香料等）を混合して香りを作るため、一度混合した芳香用ペースト（化学香料等）の種類や混合比を変更したい場合には、もう一度最初から作り直す必要があり、材料や作成時間の無駄が発生する。【０００６】  上述の従来方法以外に、数種類の芳香用個体（化学香料等）を組み合わせて香りを調香する方法であれば、一度組み合わせた後で芳香用個体（化学香料等）の種類や混合比を変更できる利点がある反面で、芳香用個体（化学香料等）の種類を識別する目的で施された着色や形状によって、本来の香りが持つイメージとは関連性のない視覚による嗅覚の混乱を招く欠点がある。
【課題を解決するための手段】
【０００７】  本考案は、収納ケースの内側に複数の区画（仕切り）を設け、芳香用液体（精油等）を含侵させた芳香用個体（木片等）を封入した密封容器（密封パック等）を、香りの種類毎に分類して収納できるよう構成したことで、前項に記載した各課題を解決している。
【考案の効果】
【０００８】  上述の様に、本考案の調香用具を用いれば、芳香用液体（精油等）を含侵させた芳香用個体（木片等）を組み合わせて香りを調香した後に、香りの種類や混合比を自由に変更できるので、材料や作成時間の無駄が発生しない。【０００９】  さらに、芳香用液体（精油等）を含侵させた芳香用個体（木片等）が、密封容器（密封パック等）に封入された状態で、香りの種類毎に分類して収納ケースの区画（仕切り）に収納されるので、芳香用個体（木片等）に識別用の着色や形状を施す必要が無く、利用者の嗅覚を混乱させる視覚要因を取り除くことができる。
【図面の簡単な説明】
【００１０】
【図１】本考案の調香用具の一実施例を示す図である。
【考案を実施するための形態】
【００１１】  収納ケースの内側に、香りの種類毎に分類して収納できる区画（仕切り）を設け、芳香用液体（精油等）を含侵させた芳香用個体（木片等）を複数封入した密封容器（密封パック等）を、香りの種類毎に収納する。
【実施例】
【００１２】  以下、添付図面に従って一実施例を説明する。１は紙製の収納ケースで、蓋部が一体に形成されている。２は精油を含侵させる木片で、杉材を正方形に加工した。３は香り成分が揮発しないよう、開閉部分にジッパーを設けたアルミフィルム製の密封パックとした。４は収納ケースの内側に設けた区画で、一区画毎に四辺を囲む凸状の仕切りを形成している。５は木片を掴むために使用するピンセットであって利用者の手指に香りが付着しないよう具備した。６は調香する際に木片を置いて、香りを試香するために使用する芳香容器であり、調香を完了した後は保管用に使用してもよい。なお、上述で説明した各要素の材料は、同様の機能が得られる材料であれば、他材料を使用しても問題ない。例えば、収納ケース１をプラスチック製に替えてもよく、芳香用個体の木片２を不織布に替えてもよい。また、各要素の形状についても、同様の機能が得られる形状であれば、他形状を使用しても問題ない。例えば、木片２を球形に替えてもよく、区画４を円形に替えてもよい。【００１３】  図１に示すように、収納ケース１には、精油を含侵させた木片２を封入した密封パック３を、香りの種類毎に区画４へ収納する。さらに、ピンセット５と芳香容器６を具備して、利用者の利便性を向上させた。【００１４】  本実施例の使用手順について一例を説明する。まず始めに、収納ケース１に収納された密封パック３から、精油の名称等に基づいて好みの香りを数種類選択する。次に、選択した香りの密封パック３を開封して適数の木片２を取り出す。芳香容器６に木片２を置き、選択した香りの組合せがイメージ通りかを試香する。その結果、イメージした香りと異なる場合には、香りの種類を一部変更するために、木片２を元の区画４に戻してから、改めて好みの香りを選択し、木片２を芳香容器６に置く。香りの強さやバランスを調整する際には、選択した香りの木片２の数量を変更して微調整することで調香作業を完了する。調香した香りは芳香容器６に保管する。
【符号の説明】
【００１５】１  収納ケース
２  木片
３  密封パック
４  区画
５  ピンセット
６  芳香容器
【図１】
0003219868.tif 000003
(57)【要約】      （修正有）【課題】食材を完全に蒸し焼きの状態にせず、ある程度蒸気を放出させている状態で加熱調理することを可能にする調理用蓋を提供する。【解決手段】窓枠のついた二枚の円型の板を水平に重ね合わせて設置して、調理蓋を構成する。上板を回転させ、窓枠を開閉することにより蒸気の放出を調整できる。【選択図】図１
0003219834.tif 000002
【実用新案登録請求の範囲】
【請求項１】
鍋やフライパンに使用する蓋で、完全に蓋をはぐる事なく、上蓋を回転させることにより加熱調理中の食材等の様子を見ることができる。また、上蓋を回転させることにより蒸気を放出しながら蒸し焼き加減を微調整することができる。
【請求項２】
窓枠のついた円型の二枚の板から構成され、片方の板を回転させることにより使用するものである。
【考案の詳細な説明】
【技術分野】
【０００１】本考案は、２枚あるうちの１枚の板を回転させることにより完全には蓋をせずに調理することのできる料理用蓋である。
【背景技術】
【０００２】
【先行技術文献】
フライパンや鍋などの調理器具を蓋で完全に覆うことで炒め物や焼き物が完全な蒸し焼き状態になってしまう為、料理の仕上がりに悩んでいた。
【特許文献】
【０００３】
【特許文献１】
【特許文献２】
【非特許文献】
【０００４】
【非特許文献１】
【非特許文献２】
【考案の概要】
【考案が解決しようとする課題】
【０００５】完全に蒸し焼きの状態にせず、ある程度蒸気を放出させている状態で加熱調理することを可能にする。
【課題を解決するための手段】
【０００６】蓋を窓枠のついた二枚の板からなる形状にし、上板を回転させることにより使用。
【考案の効果】
【０００７】上板と下板との窓枠の位置の調整により調理を半蒸し焼きの状態でする事を可能とする
【図面の簡単な説明】
【図１】組立図  下板  上板  固定ネジ図
【考案を実施するための形態】
二枚の円形の板から成る。つまみを抑え、上蓋の外円寄りのつまみをもって回転させる。尚、二枚の板は分解し、洗浄が可能である。
【実施例】食材に火を通しつつも完全に蓋をはぐる事なく、ソテー感を出したい時や、炒め煮状態になるのを防止したい時に使用。
【図１】
0003219834.tif 000003
【手続補正書】
【提出日】平成30年10月19日(2018.10.19)
【手続補正１】
【補正対象書類名】実用新案登録請求の範囲
【補正対象項目名】全文
【補正方法】変更
【補正の内容】
【実用新案登録請求の範囲】
【請求項１】
窓枠のついた円盤状態の二枚の板を上蓋下蓋とし、水平に上下に重ね合わせて設置した調理用蓋。
【請求項２】
鍋やフライパンの上に乗せ、上蓋を回転させることにより加熱調理中の食材等の様子を見ることができ、且つ、上蓋のスライド回転を微調整することにより蒸気の放出を加減しながら調理することができることを特徴とする請求項１の調理用蓋。
(57)【要約】      （修正有）【課題】クリップボードに於いて、文字を記載する場合、用紙の下部は文字が書きずらいという欠点を解消するクリップボードを提供する。【解決手段】クリップボードを上段プレート１と下段プレート２で構成される２層構造とし、上段プレート１には左右に１か所ずつ突起状のスライダー３を、下段プレート２にはコの字状のスリットを左右に１か所ずつ設け、スライダー３とスリットをはめ合わせて設置することによって、上段プレート１がスライドする。上段プレート１には手前側に直方体形状の部位４を形成し、下段プレート２の中程に形成される直方体形状のストッパー６の位置で上段プレート１のスライドを停止させ、前方向への抜け落ちを防止する一方、上段プレート１が後方に抜け落ちることが無いよう、下段プレート２の手前側に直方体形状のストッパー５を設けた。【選択図】図２
0003219837.tif 000002
【実用新案登録請求の範囲】
【請求項１】
従来のクリップボードを二層式にし、２個の突起状のスライダーを持つ上段プレートが下段プレートに２か所備えたスリットをスライドすることを特徴とするクリップボード。
【請求項２】
上段プレートと下段プレートに各々１か所ずつ設けたストッパーにより、上段プレートが下段プレートから抜け落ちない工夫をした請求項１に記載のクリップボード
【考案の詳細な説明】
【技術分野】
【０００１】本考案は一般的なクリップボードに関する
【背景技術】
【０００２】  従来の一般的クリップボードはプレートに紙はさみ（クリップ）が装備された単純な構造のものが主流である
【考案の概要】
【考案が解決しようとする課題】
【０００３】  図３の様に、従来の一般的なクリップボードではクリップに挟んだ用紙の下部への文字の記載に於いて、書きづらいという欠点があった。
その為、書きづらいのを認識しつつも、そのまま文字を記載するか、いったん用紙をクリップから外し用紙をずらして文字を記載するという方法が行われている。
用紙をクリップから外し、用紙の位置をずらしてから書くという行為は不便である。本考察はこうした用紙下部への書き込みを、し易くすることを目的とする。
【課題を解決するための手段】
【０００４】本考察を実現する為に、クリップボードを二層構造にし、上段プレートが下段プレートのスリットに沿ってスライドすることによって上段プレートを書き易い位置に移動できるようにした。上段プレートと下段プレートのトップ部分の水平レベルは同一で段差がなく、文字がスムースに記載できる。【０００５】上段プレートに１か所のストッパーを形成し、下段プレートに設ける落下防止バーの位置でスライドを停止する。一方下段プレートの後方側には直方体形状のストッパーを接着し、上段プレートが後方からの抜け落ちることが無い様にする。
【考案の効果】
【０００６】上段プレートのスライドにより用紙下部への書き込みが従来のクリップボードに比べ容易になった。このことによりあらゆる現場での記録作業が楽になり仕事の効率化を高める【０００７】構造が従来の製品と異なり二層構造となったので、斬新なデザインを提供することが出来る。
【図面の簡単な説明】
【０００８】
【図１】本考案によるクリップボードの外観図
【図２】クリップボードの二層構造
【図３】従来のクリップボード
【図４】上段プレートの動き
【考案を実施するための形態】
【０００９】図１は本考察のクリップボードの外観図である。二層構造になっており図２の様に、上段プレート１と下段プレート２で構成する。共に其々プラスチック樹脂の一体物で成形される。上段プレートには従来品と同様、紙を挟むクリップが装備されており、左右に形成される突起状のスライダー３が下段プレートの２か所のスリットをスライドすることにより、図４の様に下段プレートを前方に移動させることが出来る。用紙下部が書き易い位置になるには約１０ｃｍの移動距離が必要で、同考察に於いても約１０ｃｍ上段プレートがスライドするようにした。
【００１０】上段プレート図２−１が下段プレート図２−２から抜け落ちないように、両プレートには其々一か所ずつストッパーが設けられている。すなわち前部ストッパー図２−４と後部ストッパー図２−５である。前部ストッパーは上段プレートが前方に抜け落ちないようにする為のもので下段プレートの後方側から約１０ｃｍの位置に設ける落下防止バー図２−６でスライドが停止するようになっている。
後部ストッパー図２−５は上段プレートが後方に抜け落ちないように下段プレートの後方側に接着される。
【００１１】図２−２の下段プレートに２か所設けられる切り取り枠はクリップボードの軽量化を計る為のもので、これを手で保持するため、保持部分図２−Ａを設ける
【図１】
0003219837.tif 000003
【図２】
0003219837.tif 000004
【図３】
0003219837.tif 000005
【図４】
0003219837.tif 000006
【手続補正書】
【提出日】平成30年11月8日(2018.11.8)
【手続補正１】
【補正対象書類名】実用新案登録請求の範囲
【補正対象項目名】全文
【補正方法】変更
【補正の内容】
【実用新案登録請求の範囲】
【請求項１】
クリップボードを上段プレート１と下段プレート２で構成される２層構造とし、上段プレートには左右に１か所ずつ突起状のスライダーを、下段プレートにはコの字状のスリットを左右に１か所ずつ設け、前記スライダーとスリットをはめ合わせて設置することによって、上段プレートがスライドすることを特徴とするクリップボード。
【請求項２】
上段プレート１には手前側に直方体形状の部位４を形成し、下段プレートの中程に形成される直方体形状のストッパー６の位置で上段プレートのスライドを停止させ、前方向への抜け落ちを防止する一方、上段プレートが後方に抜け落ちることが無いよう、下段プレートの手前側に直方体形状のストッパー５を設けた請求項１に記載のクリップボード。
【手続補正２】
【補正対象書類名】明細書
【補正対象項目名】０００５
【補正方法】変更
【補正の内容】
【０００５】上段プレートに１か所の直方体形状の部位４を形成し、下段プレートに２か所設けるストッパー６及び５の位置で、上段プレートのスライドを停止させ同プレートの前方向と後方向への抜け落ちを防止する。
【手続補正３】
【補正対象書類名】明細書
【補正対象項目名】００１０
【補正方法】変更
【補正の内容】
【００１０】上段プレート１が下段プレート２から抜け落ちないように、下段プレート２には２か所にストッパーが設けられている。すなわち前部ストッパー６と後部ストッパー５である。前部ストッパーは上段プレートが前方に抜け落ちる事が無いようにする為のもので下段プレートの手前側から薬１０ｃｍの位置に設けられ、上段プレートの手前側に形成した直方体形状の部位４が前部ストッパー位置で停止する。同じく直方体形状の後部ストッパー５は上段プレートが手前に抜け落ちることが無いように下段プレートの手前側に接着される。
(57)【要約】      （修正有）【課題】この暑さのなかスーツを着て働く人達を救うことができる体冷帯を提供する。【解決手段】布を二重にして端を閉じ、袋状にした帯４、５の上部２を開き、開いた間に幅の狭い段ボール３を挟み取り付けた帯４、５を体に巻き付け、袋状の内部に空気を吹き込み帯４、５の上部２に挟んだ段ボール３から空気が吹き上がり体を冷やすようにする。【選択図】図２
0003219839.tif 000002
【実用新案登録請求の範囲】
【請求項１】
袋状の帯の上部を切り開き、段ボールを切り開いた帯の間に挟み、体冷帯の空洞内に空気を吹き込み、空洞に吹き込まれた空気は帯の間に挟まれた段ぼールから吹き上がり、体を冷やすようにした体冷帯の帯の構造である。
【考案の詳細な説明】
【技術分野】
【０００１】本考案は、袋帯の内部に空洞を作り帯の上部を切り開き、空洞内に外部から空気を吹き込み、切り開いた帯の吹き出し口より空気を吹き出し体を冷やすようにした、下着の上に巻く帯の考案である。
【背景技術】
【０００２】最近の暑さでもサラリーマンの人達はスーツを着て居ますが外勤の社員はスーツを脱ぐわけにもいかづ此の暑さのため汗で下着が濡れてしまうため、帯から空気を吹き上げ体を冷やすようにした帯である。又風車を付けた作業着が発売されているが、サラリーマンのスーツに此のような風車を付ける事も出来ない。
【考案の開示】
【考案が解決しようとする課題】
【０００３】考案が解決しようとするには、この暑さのなかスーツを着て働く人達を救って上げたい。
（課題を解決するための手段）【０００４】この暑さではワイシャツや下着が汗で濡れてしまうが、袋帯の上部を切り開き開いた帯の間に幅の狭いだんボールをはさみこの帯を体に巻き、空気を袋内に空気ポンプから吹き込み、吹き込まれた空気は段ボールの穴から吹き上がり、体を冷やすようにした体冷帯の帯の考案である。
【考案の効果】
【０００５】此の考案の体冷帯の帯を下着の上に巻き付け、此の帯の中に空気を吹き込み帯から空気を吹き上げると体が冷える。
（考案を実施するための最良の形態）【０００６】体冷帯の帯の中に空洞を設け、空洞内に外部のエヤーポンプから空気を吹き込み、帯の隙間から空気が吹き上がり体を冷やすようにした体冷帯の帯の構造である。
（実施例）【０００７】袋状の体冷帯１の帯の上部２を切り開き、テープ状の防水加工又は合成樹脂の段ボール３を切り開いた帯４と５の間に挟み取り付け、体冷帯１の空洞６に外部からのエヤーポンプ７によりパイプ８から空気を吹き入れ、空洞６に吹き込まれた空気は体冷帯１の上部に挟んだ段ボール３から吹き上がり、吹き上がった空気により体を冷やすようにした、体冷帯１の帯を体に巻き付ける。
体冷帯の段ボール３から空気が吹き上がるが、ネクタイを緩めるか外すと空気が外に放出され、より多く体を冷やす事が出来る体冷帯の帯の構造である。
【図面の簡単な説明】
【図１】  体冷帯の帯の上部に張りつける、だんボールの図
【図２】  一部切り欠いた体冷帯の図
【図３】  体冷帯の断面図
【図４】  エヤーポンプと電源の図１        体冷帯
２        帯の上部
３        段ボール
４        帯
５        帯
６        空洞
７        エヤーポンプと電源
８        パイプ
【図１】
0003219839.tif 000003
【図２】
0003219839.tif 000004
【図３】
0003219839.tif 000005
【図４】
0003219839.tif 000006
【手続補正書】
【提出日】平成30年11月1日(2018.11.1)
【手続補正１】
【補正対象書類名】実用新案登録請求の範囲
【補正対象項目名】全文
【補正方法】変更
【補正の内容】
【実用新案登録請求の範囲】
【請求項１】
布を二重にして端を閉じ、袋状にした帯の上端を開き、開いた間に幅の狭いダンボールを挟み取り付けた帯を体に巻き付け、袋状の内部に空気を吹き込み帯の上端に挟んだダンボールから空気が吹き上がり体を冷やすようにした体冷帯。
(57)【要約】      （修正有）【課題】ろうそくの確実な消火と線香を安全に燃焼させることを両立させた葬祭用香炉を提供する。【解決手段】ろうそく立て３と横置き式の線香皿を一体容器化し、容器全体を覆う蓋２を設け、容器本体１と蓋２に、ろうそく立て３と線香皿を分かつ仕切り板２ａを、線香皿上部の蓋２部分に通気孔２ｂを設けて、線香着火後に蓋２を閉じることによってろうそくの確実な消火と、線香の安全な燃焼を可能とする。【選択図】図１
0003219838.tif 000002
【実用新案登録請求の範囲】
【請求項１】
ろうそく立てと横置き式の線香皿を一体化した蓋付きの香炉であって、本体及び蓋の内部にろうそく立て部と線香皿部の仕切り板を設けるとともに、線香皿部の蓋には数か所の通気孔を設ける。
線香に着火後、蓋を閉じることによってろうそくを確実に消火でき、線香のみを安全に燃焼させることができる葬祭用香炉。
【考案の詳細な説明】
【技術分野】
【０００１】  本考案は、ろうそく立てと横置き式の線香皿を一体容器化し、内部に仕切り板を設けるとともに、全体を覆う蓋を備え、蓋のろうそく立て部には密閉できるよう本体と同位置に仕切り板を設け、線香皿部には通気孔を開けておくことで、線香着火後に蓋を閉じることにより、ろうそくの確実な消火と線香を安全に燃焼させることを両立させた葬祭用香炉に関するものである。
【背景技術】
【０００２】  仏壇の前に置かれるろうそく立てと線香立ては燃焼部が露出しており、かつ分離されていた。
【考案の概要】
【考案が解決しようとする課題】
【０００３】  線香に着火後のろうそくの消し忘れや、線香の灰の飛散に伴う周辺への引火の危険性があった。
【課題を解決するための手段】
【０００４】  線香立てを横置き式の線香皿とし、かつろうそく立てと一体化した容器に収め、線香皿とろうそく立ての間には仕切り板を設ける。
更に容器全体を覆う蓋を設けるものとし、蓋の内部には本体容器と同一位置に仕切り版を、線香皿部には数か所の通気孔を開ける。
線香着火後に蓋を閉じることにより、ろうそくの確実な消火と線香の安全な燃焼を両立させることができ、ろうそくの消し忘れや、線香の灰の飛散に伴う周辺への引火の危険性を解決している。
【図面の簡単な説明】
【０００５】
【図１】本考案の葬祭用香炉の一実施例を示す断面図である。
【図２】葬祭用香炉の平面図である。
【図３】葬祭用香炉の左右側面図である。
【考案を実施するための形態】
【０００６】  ろうそく立てと横置き式の線香皿を一体容器化し、ろうそく立てと線香皿の間に仕切り板を設ける。
さらに、容器全体を覆う、内部に仕切り板を有する蓋を設け、ろうそく立て部は密閉できるように、線香皿部には蓋に通気孔を設け、線香が燃焼できるようにする。
線香着火後に蓋を閉じることによって、ろうそくを確実に消火し、線香を安全に燃焼させることができる。
【実施例】
【０００７】  以下、図１によって一実施例を説明する。
１は陶磁器又は不燃性樹脂等により形成された香炉本体で、１ａは仕切り板、２は１と同様の素材で形成された蓋であり、２ａは仕切り板、２ｂは通気孔である。
３はろうそく立て、４は線香を横置きする通気性を有した不燃マットである。
ろうそくにより線香に着火後、線香を不燃マット上に横置し、蓋を閉じることによって、ろうそくが確実に消火され線香は安全に燃焼する。
【符号の説明】
【０００８】  １      香炉本体
１ａ    香炉本体内部の仕切り板
２      蓋
２ａ    蓋内部の仕切り板
２ｂ    蓋上部に設けた通気孔
３      ろうそく立て
４      通気性不燃マット
【図１】
0003219838.tif 000003
【図２】
0003219838.tif 000004
【図３】
0003219838.tif 000005
【手続補正書】
【提出日】平成30年11月7日(2018.11.7)
【手続補正１】
【補正対象書類名】実用新案登録請求の範囲
【補正対象項目名】全文
【補正方法】変更
【補正の内容】
【実用新案登録請求の範囲】
【請求項１】
ろうそく立てと横置き式の線香皿を一体化した蓋付きの香炉であって、本体及び蓋の内部にろうそく立て部と線香皿部の仕切り板を設けるとともに、線香皿部の蓋には数か所の通気孔を設けることで、ろうそく及び線香に着火後、蓋を閉じることによって、ろうそくを確実に消火でき線香のみを安全に燃焼させることができる葬祭用香炉。
(57)【要約】      （修正有）【課題】川底の石や沈下物に鉛玉が根掛することなく、川の流速変化に沈下、定位の対応力を友鮎に与えることを可能とし、また、遠心力や振動などの外圧による落下防止を可能とする釣り用具を提供する。【解決手段】友鮎の根掛、川の流速変化に対応した沈下、定位を友鮎に与えるため、返し針１に鉛玉２を一体化して固着させ、返し針の軸下部先端にリリアン３を固定させるとともにリリアンの末端に、フック式ハリス止め５を固定する。また、落下防止用のビニール管４をリリアンとフック式ハリス止めの間に挿入する。【選択図】図１
0003219845.tif 000002
【実用新案登録請求の範囲】
【請求項１】
図１のように、返し針（１）に、鉛玉（２）を固着させ、返し針（１）の軸下部先端にリリアン（３）を固定させるとともに、リリアン（３）の末端にフック式ハリス止め（５）を固定した釣り用具。
【請求項２】
図１のように、リリアン（３）とフック式ハリス止め（５）間に考案品の落下防止用のビニール管（４）を挿入した釣り用具。
【考案の詳細な説明】
【技術分野】
【０００１】  本考案は、友鮎を野鮎の釣れる優位な位置に遷移させるこが容易なオモリ背針に関するものである。
【背景技術】
【０００２】  鮎の瀬釣を実施する場合、鉛玉を友鮎の鼻先に取付け、友鮎を沈下させる方法と背針を友鮎の背中に取付て友鮎を沈下、定位させる方法が実釣に共されている。
鉛玉を友鮎の鼻先に取付ける方法は、あくまでも友鮎を沈下させることが目的であり、また背針を友鮎の背中に取付ける方法は友鮎を沈下、定位させることが目的であり実釣上十分であった。【０００３】  しかし、鉛玉を友鮎の鼻先に取付ける方法は、川底の石や沈下物に鉛玉が根掛する欠点があった。図２は鉛玉が川底の石や沈下物に根掛する状況を示したものである。【０００４】  また、背針を友鮎の背中に取付ける方法は、川の流速変化への対応力に乏しく、友鮎の沈下、定位ができなくなる欠点があった。図３は流速変化により友鮎の沈下、定位ができなくなる状況を示したものである。【０００５】  鮎の瀬釣を実施する場合において、この欠点は友鮎の操作性に関して大きな障害である。具体的には、友鮎の損失、友鮎への負担及び釣果に影響する問題があった。【０００６】  この対策として、鉛玉の根掛を防止するため、常に道糸を介して友鮎へのテンションに気配りする必要があり、釣人への心理的負担は極めて大きいものがある。【０００７】  また、背針を使用し、川の流速変化に対応ができなくなり、友鮎が水面付近まで水位した場合は、鉛玉を併用することも可能であるが、鉛玉の根掛という釣人への心理的負担を軽減することはできない。
【考案の概要】
【考案が解決しようとする課題】
【０００８】  解決しようとする問題点は、川底の石や沈下物に鉛玉が根掛する欠点をなくすことと、川の流速変化に沈下、定位の対応力を友鮎に与えることを課題とする。【０００９】  フック式ハリス止め（５）を起点とした鉛玉（２）の遠心力や振動などの外圧による考案品の落下防止を図ることを課題とする。
【課題を解決するための手段】
【００１０】  本考案は、返し針（１）と鉛玉（２）を一体化して、友鮎の根掛、川の流速変化に対応した沈下、定位を友鮎に与える。【００１１】  この対策として、返し針（１）に鉛玉（２）を固着させ、返し針（２）の軸下部先端にリリアン（３）を固定させるとともにリリアン（３）の末端に、フック式ハリス止め（５）を固定する。【００１２】  また、考案品の落下防止用のビニール管（４）をリリアン（３）とフック式ハリス止め（５）の間に挿入する。図１は釣り用具の実装体形を示したものである。
【考案の効果】
【００１３】  本考案のオモリ背針は、返し針（１）と鉛玉（２）を一体化にして、友鮎の上部に固定することにより、従来のように川底の石、沈下物への根掛は防止される利点がある。また、鉛玉（２）の比重に応じて、直接的に友鮎の沈下力、定位を維持できる利点がある。【００１４】  本考案のオモリ背針は、フック式ハリス止め（５）にビニール管（４）を咬ませたため、友鮎を保持する道糸（６）から、遠心力や振動の外圧により、フック式ハリス止め（５）から分離することがなくなり、考案品の落下防止を図る利点がある。
【図面の簡単な説明】
【００１５】
【図１】本考案に係るオモリ背針の側面図である。
【図２】背景技術（鉛玉）を示した図である。
【図３】背景技術（背針）を示した図である。
【考案を実施するための形態】
【考案品を作成する詳細な説明】
【００１６】  返し針（１）の軸を鉛玉（２）の中通しに挿入して、返し針（１）と鉛玉（２）が垂直状態になるように圧着し、返し針と鉛玉（２）を一体化する。
圧着した鉛玉（２）の中通しの空間に接着剤を注入して固定部位を安定させる。
【００１７】  一体化された（１）、（２）の軸下部先端にリリアン（３）を挿入して、挿入箇所を木綿糸で巻いて固定し、接着剤で固定部位を安定させる。
【００１８】  リリアン（３）の先端にビニール管（４）を挿入して、フック式ハリス止め（５）をリリアン（３）に挿入して挿入箇所を木綿糸で巻いて固定し、接着剤で固定部位を安定させる。
【考案品を使用して実証した説明】
【００１９】
【実証例１】
【００２０】  表１は考案品を使用して、実釣により根掛の回数と考案品の落下防止件数を確認した結果である。
実釣期間は、平成２９年７月１日から平成３０年８月３１日であり、実釣回数は合計７４回実施した。その結果、考案品の有効性が各月毎の実釣回数に対応した根掛件数結果を確認するができた。また、考案品の落下防止結果についても同等の結果を確認するこができた。
【実証例２】
【００２１】  表１は考案品を使用して、実釣により釣果を確認した結果である。
その結果、実釣期間、実釣回数において釣果結果は良好であり、釣人の有効な釣り具であることを確認した。
【００２２】
【表１】
0003219845.tif 000003
【００２３】  実釣期間中に考案品を使用した結果、根掛、落下は皆無であり、考案品の有効性をを確認することができた。また、友鮎の沈下、定位が容易であり友鮎に与えるテンションに気配りすることなく、安定した釣果を得ることができた。
【符号の説明】
【００２４】  １  返し針
２  鉛玉
３  リリアン
４  ビニール管
５  フック式ハリス止め
６  道糸
【図１】
0003219845.tif 000004
【図２】
0003219845.tif 000005
【図３】
0003219845.tif 000006
【手続補正書】
【提出日】平成30年11月5日(2018.11.5)
【手続補正１】
【補正対象書類名】実用新案登録請求の範囲
【補正対象項目名】全文
【補正方法】変更
【補正の内容】
【実用新案登録請求の範囲】
【請求項１】
友鮎の根掛、川の流速変化に対応した沈下、定位を友鮎に与える釣り用具であって、返し針の軸を鉛玉の中通しに挿入し圧着、一体化させ、友鮎と道糸間を保持するため、返し針の軸下部先端にリリアンを挿入して固定させるとともに、リリアンの末端にフック式ハリス止めを挿入して固定した釣り用具。
【請求項２】
友鮎を保持する道糸から、フック式ハリス止めが遠心力や振動の外圧により分離することを不可能とするため、リリアンとフック式ハリス止めの間にビニール管を挿入させ、フック式ハリス止めに咬ませたことを特徴とする請求項１記載の釣り用具。
(57)【要約】      （修正有）【課題】スムーズに取っ手を掴むことが出来、作業効率が上がるマグネット付き手袋を提供する。【解決手段】手袋１の指２に、マグネットを付ける、又は、マグネットを帯びさせた物、若しくは、マグネットを練りこんだりした物３を設ける。【選択図】図１
0003219849.tif 000002
【実用新案登録請求の範囲】
【請求項１】
手袋（１）の指（２）に、マグネットを付けたり、又は、帯びさせた物や、練りこんだりした物（３）を設けたマグネット付き手袋。
【考案の詳細な説明】
【技術分野】
【０００１】この考案は、石油缶（一斗缶）を持ち上げる際、簡単に取っ手をつかみ、持ち上げる事が出来るマグネットつき手袋に関するものである。
【背景技術】
【０００２】従来、手袋を、はめたままで、石油缶を、持ち上げるのに、取っ手を素早く、つかむ事が、難しかつた。
【先行技術文献】
【０００３】
【考案の概要】
【考案が解決しようとする課題】
【０００４】従来のものは、次のような欠点があつた。
（イ）  取っ手に、手袋の指が掛からず、持ち上げるのが、困難だつた。
（ロ）  雨の時とか、水に濡れているときは、特に困難だつた。
本考案は、以上のような欠点をなくすためになされたものである。
【課題を解決するための手段】
【０００５】手袋（１）の指（２）に、マグネットを、付けたり又は帯びさせた物や、練りこんだ物（３）を設ける。
本考案は、以上の構成よりなる、マグネットつき手袋である。
【考案の効果】
【０００６】手袋の指が、マグネットを、帯びているので、晴雨に関係なく、スムーズに取っ手を掴む事が出来、作業効率が上がります。
【図面の簡単な説明】
【０００７】
【図１】  本考案の正面図である。
【考案を実施するための形態】
【０００８】以下、本考案を実施するための形態について説明する。
手袋（１）の指（２）の部分に、マグネットを帯びた物，又は練りこんだ物（３）を設ける。
本考案は、以上のような構成である。
これを使用するときは、マグネットつき手袋で、石油缶の取っ手を、起こして、手を差し入れて持ち運ぶことが、容易になる。
【符号の説明】
【０００９】１    手袋
２    手袋の指
３    マグネットを帯びた物、又は練りこんだ物。
【図１】
0003219849.tif 000003
【手続補正書】
【提出日】平成30年11月8日(2018.11.8)
【手続補正１】
【補正対象書類名】実用新案登録請求の範囲
【補正対象項目名】全文
【補正方法】変更
【補正の内容】
【実用新案登録請求の範囲】
【請求項１】
手袋（１）の指（２）に、マグネットを付けたこと、又は、マグネットを帯びさせた物、若しくは、マグネットを練りこんだりした物（３）を設けたことを特徴とするマグネット付き手袋。